(57)【要約】【課題】糸落ちを抑制しながら、ロータを軽量化する。【解決手段】ロータ１１は、第１円筒部３１、第２円筒部３２、および一対のアーム部３３，３４を備える。第１円筒部３１は、後方端部が開口である円筒形状を有する。第２円筒部３２は、後方端部が開口である円筒形状を有する。第２円筒部３２は、内周面が第１円筒部３１の外周面と間隔を空けて対向する位置で第１円筒部３１に取り付けられる。一対のアーム部３３，３４は、それぞれが第１円筒部３１の外周面の後方端部から径方向の外側へ延び、さらに第１円筒部３１の外周面および第２円筒部３２の外周面から径方向の外側に離隔した位置を通って前方に延びる。一対のアーム部３３，３４は、第１円筒部３１および第２円筒部３２を径方向に挟んで対向する。【選択図】図１
2019058148.tif 000002
【特許請求の範囲】
【請求項１】
釣糸を前方に繰り出すスピニングリールのリール本体に回転可能に支持されるロータであって、
後方端部が開口である円筒形状を有する第１円筒部と、
後方端部が開口である円筒形状を有し、内周面が前記第１円筒部の外周面と間隔を空けて対向する位置で前記第１円筒部に取り付けられる第２円筒部と、
それぞれが前記第１円筒部の外周面の後方端部から径方向の外側へ延び、さらに前記第１円筒部の外周面および前記第２円筒部の外周面から径方向の外側に離隔した位置を通って前方に延び、前記第１円筒部および前記第２円筒部を径方向に挟んで対向する一対のアーム部と、
を備えるロータ。
【請求項２】
前記第２円筒部は、前記第１円筒部の前方端部で前記第１円筒部に取り付けられる、
請求項１に記載のロータ。
【請求項３】
前記第２円筒部の前方端部で前記第２円筒部に接し、前記第２円筒部の外周面より径方向の外側に延びる環状のリブをさらに備える、
請求項１または２に記載のロータ。
【請求項４】
前記第２円筒部および前記リブは一体成形される、
請求項３に記載のロータ。
【請求項５】
前記第２円筒部および前記リブは別体であり、前記リブは、締結部材によって前記第２円筒部の中心軸方向に前記第２円筒部に取り付けられる、
請求項３に記載のロータ。
【請求項６】
前記第１円筒部に、前記第１円筒部を径方向に貫く、少なくとも１つの貫通孔が形成される、
請求項１から５のいずれか１項に記載のロータ。
【請求項７】
前記第２円筒部に、前記第２円筒部を径方向に貫く、少なくとも１つの貫通孔が形成される、
請求項１から６のいずれか１項に記載のロータ。
【請求項８】
請求項１から７のいずれか１項に記載のロータと、
前記ロータが有する前記一対のアーム部の内、一方のアーム部に設けられた釣糸案内機構と、
前記ロータが回転することで、前記釣糸案内機構の案内によって前記釣糸が巻回されるスプールと、
を備えるスピニングリール。
【発明の詳細な説明】
【技術分野】
【０００１】
本発明は、軽量化されたロータおよび該ロータを備えるスピニングリールに関する。
【背景技術】
【０００２】
魚釣用のスピニングリールは、特許文献１のように、スプールと、一対のロータアームを有するロータと、一対のロータアームの先端部に揺動可能に装着された釣糸案内機構（いわゆるベールアーム）と、を備えている。
【０００３】
特許文献２に開示される魚釣用のスピニングリールが有するロータは、スプールの内側に配置される有底の円筒部と、円筒部の底部の前部にねじで取り付けられる環状部材とを備える。環状部材が釣糸係止部を備えることで、釣糸がスプールの内側に入り、ロータの前方に落ちてスプール軸に絡みついてしまう、糸落ち現象の発生を抑制する。
【先行技術文献】
【特許文献】
【０００４】
【特許文献１】特開２００９−６５９３５号公報
【特許文献２】特開２０１６−２１４１９３号公報
【発明の概要】
【発明が解決しようとする課題】
【０００５】
ローラクラッチの小径化に伴って、ロータの円筒部を小径化することが可能である。魚釣用のスピニングリールの軽量化を図るためには、ロータの円筒部を小径化して軽量化することが好ましい。一方、ロータの前方に設けられ、釣糸の巻回される容量（長さ）やスプールのフランジ径との関係で、スプール胴部の小径化には限度がある。ロータの円筒部の内径とスプールの外径との差が大きくなり、糸落ち現象が発生する可能性が増大する。
【０００６】
本発明は上述の事情に鑑みてなされたものであり、糸落ちを抑制しながら、ロータを軽量化することを目的とする。
【課題を解決するための手段】
【０００７】
上記目的を達成するため、本発明の第１の観点に係るロータは、釣糸を前方に繰り出すスピニングリールのリール本体に回転可能に支持されるロータであって、後方端部が開口である円筒形状を有する第１円筒部と、後方端部が開口である円筒形状を有し、内周面が第１円筒部の外周面と間隔を空けて対向する位置で第１円筒部に取り付けられる第２円筒部と、それぞれが第１円筒部の外周面の後方端部から径方向の外側へ延び、さらに第１円筒部の外周面および第２円筒部の外周面から径方向の外側に離隔した位置を通って前方に延び、第１円筒部および第２円筒部を径方向に挟んで対向する一対のアーム部と、を備える。
【０００８】
好ましくは、第２円筒部は、第１円筒部の前方端部で第１円筒部に取り付けられる。
【０００９】
好ましくは、第２円筒部の前方端部で第２円筒部に接し、第２円筒部の外周面より径方向の外側に延びる環状のリブをさらに備える。
【００１０】
好ましくは、第２円筒部およびリブは一体成形される。
【００１１】
あるいは、第２円筒部およびリブは別体であり、リブは、締結部材によって第２円筒部の中心軸方向に第２円筒部に取り付けられる。
【００１２】
好ましくは、第１円筒部に、第１円筒部を径方向に貫く、少なくとも１つの貫通孔が形成される。
【００１３】
好ましくは、第２円筒部に、第２円筒部を径方向に貫く、少なくとも１つの貫通孔が形成される。
【００１４】
本発明の第２の観点に係るスピニングリールは、第１の観点に係るロータと、ロータが有する一対のアーム部の内、一方のアーム部に設けられた釣糸案内機構と、ロータが回転することで、釣糸案内機構の案内によって釣糸が巻回されるスプールと、を備える。
【発明の効果】
【００１５】
本発明によれば、ロータに第１円筒部と、内周面が第１円筒部の外周面と間隔を空けて対向する位置で第１円筒部に取り付けられる第２円筒部とを備えることで、糸落ちを抑制しながら、ロータを軽量化することが可能である。
【図面の簡単な説明】
【００１６】
【図１】本発明の実施の形態に係るスピニングリールの断面図
【図２】実施の形態に係るロータの斜視図
【図３】実施の形態に係る第１円筒部およびアーム部の斜視図
【図４】実施の形態に係る第２円筒部の斜視図
【図５】実施の形態に係る第１円筒部およびアーム部の断面図
【図６】実施の形態に係る第２円筒部の断面図
【図７】実施の形態に係るロータの断面図
【図８】実施の形態に係る第１円筒部およびアーム部の変形例の正面図
【図９】実施の形態に係る第２円筒部の変形例の正面図
【発明を実施するための形態】
【００１７】
以下、本発明の実施の形態について図面を参照して詳細に説明する。なお図中、同一または同等の部分には同一の符号を付す。
【００１８】
図１は、本発明の実施の形態に係るスピニングリールの断面図である。実施の形態１に係る魚釣用リールは、スピニングリール１である。スピニングリール１は、リール本体１０、ロータ１１、スプール１２、ハンドル１３、および釣糸案内機構１４を備える。ハンドル１３は、リール本体１０に回転可能に支持される、ハンドル軸１９に取り付けられる。釣糸案内機構１４は、ラインローラ１５、ベール１６、およびベール１６を支持するベールアーム１７，１８を備える。以下の図中において、Ｘ軸正方向が、スピニングリール１が取り付けられる釣り竿の前方であり、Ｘ軸負方向が釣り竿の後方である。Ｙ軸方向がハンドル軸の軸方向である。Ｚ軸方向は、Ｘ軸方向およびＹ軸方向に直交する方向である。図１は、スピニングリール１のＸＺ平面での断面図である。スプール１２に巻かれた釣糸は、前方に繰り出される。
【００１９】
クランクであるハンドル１３をハンドル軸１９の周りに回すことによって、ロータ１１は、前後方向、すなわちＸ軸方向に延びる中心軸の周りに回転する。ハンドル１３を回すと、ロータ１１の回転と同期して、スプール１２が前後方向に往復動する。ロータ１１の回転とスプール１２の往復動によって、前方に繰り出されていた釣糸は、釣糸案内機構１４に案内されてスプール１２の円筒面に均されて巻き付けられる。
【００２０】
ロータ１１は、ピニオンギア２０の軸２１に嵌合してピニオンギア２０に固定され、ピニオンギア２０とともに回転する。ピニオンギア２０は、２つの軸受２２，２３でリール本体１０に回転可能に支持される。ピニオンギア２０は、中空の筒状である。ピニオンギア２０を貫通して、スプール軸２４が設けられる。スプール軸２４とピニオンギア２０は、相対的に回転および往復動する。スプール軸２４の前方側には、ドラグ機構２５を介してスプール１２が取り付けられる。スプール軸２４の後方側は、オシレーティング機構２６に接続されている。
【００２１】
ハンドル１３はクランクになっており、クランクの軸であるハンドル軸１９に駆動ギア２７が結合されている。駆動ギア２７は、例えばフェースギアであって、ピニオンギア２０の歯車２８と噛み合う。歯車２８は、例えば、はすば歯車であり、軸２１に嵌合されてピニオンギア２０として一体に回転する。ハンドル１３の回転操作にしたがって、ピニオンギア２０が回転する。オシレーティング機構２６は、ピニオンギア２０と同期して回転する。オシレーティング機構２６が回転すると、スプール軸２４が前後方向に往復動する。スプール軸２４の後方側、ピニオンギア２０の歯車２８側、駆動ギア２７およびオシレーティング機構２６は、リール本体１０に収容されている。ピニオンギア２０は、ハンドル軸１９の回転をロータ１１およびオシレーティング機構２６に伝達する。
【００２２】
ロータ１１は、第１円筒部３１、第２円筒部３２、および一対のアーム部３３，３４を備える。図１の例では、ロータ１１は、リブ３５をさらに備える。アーム部３３に、ベールアーム１７が揺動可能に取り付けられる。ベールアーム１７にラインローラ１５が取り付けられる。アーム部３４に、ベールアーム１８が揺動可能に取り付けられる。
【００２３】
図２は、実施の形態に係るロータの斜視図である。第１円筒部３１は、前方端部４１が閉じられ、後方端部が開口である円筒形状を有する。第１円筒部３１の前方端部４１には、スプール軸２４が挿通される中央孔４４が形成される。第２円筒部３２は、後方端部が開口である円筒形状を有する。第２円筒部３２は、内周面が第１円筒部３１の外周面と間隔を空けて対向する位置で第１円筒部３１に取り付けられる。図２の例では、第２円筒部３２は、Ｘ軸方向に第１円筒部３１に取り付けられる。第２円筒部３２を第１円筒部３１に取り付ける方法は任意である。ロータ１１は、第２円筒部３２の前方端部５１で第２円筒部３２に接し、第２円筒部３２の外周面より径方向の外側に延びる環状のリブ３５をさらに備えてもよい。リブ３５を備えることで、糸落ちを抑制することが可能である。
【００２４】
図３は、実施の形態に係る第１円筒部およびアーム部の斜視図である。第１円筒部３１の前方端部４１に、突起４２が形成される。突起４２には、後述する締結部材がＸ軸方向に挿入される締結穴４３が形成される。第１円筒部３１の前方端部４１には、スプール軸２４が挿通される中央孔４４が形成される。一対のアーム部３３，３４は、それぞれが第１円筒部３１の外周面の後方端部から径方向の外側へ延び、さらに前方に延びる。図２に示すように、一対のアーム部３３，３４は、第１円筒部３１の外周面および第２円筒部３２の外周面から径方向の外側に離隔した位置を通って前方に延びる。一対のアーム部３３，３４は、第１円筒部３１および第２円筒部３２を径方向に挟んで対向する。なお、本実施例においては、第１円筒部３１は、前方端部４１が閉じられているが、軽量化、排水性及び強度等を考慮し、開口（孔）を設けてもよい。
【００２５】
図４は、実施の形態に係る第２円筒部の斜視図である。第２円筒部３２の側面の内径は、第１円筒部３１の側面の外径より大きい。第２円筒部３２は、内周面が第１円筒部３１の外周面と間隔を空けて対向する位置で第１円筒部３１に取り付けられる。第２円筒部３２は、例えば、第１円筒部３１の前方端部４１で第１円筒部３１に取り付けられる。第２円筒部３２の前方端部５１に、係止部５２が設けられる。係止部５２には、貫通孔である挿入孔５３が形成される。係止部５２に形成される挿入孔５３に第１円筒部３１の突起４２が挿入されることで、第２円筒部３２が第１円筒部３１に係止部５２で係止する。締結部材３６が挿入孔５３および締結穴４３に挿入され、締結されることで、第２円筒部３２が第１円筒部３１に取り付けられる。上述のように、第２円筒部３２は、内周面が第１円筒部３１の外周面と間隔を空けて対向する位置で第１円筒部３１に取り付けられる。これにより、第２円筒部３２の少なくとも一部は、第１円筒部３１と一対のアーム部３３，３４の少なくとも一方との間に位置する。
【００２６】
図５は、実施の形態に係る第１円筒部およびアーム部の断面図である。図５は、ＸＺ平面における断面図である。第１円筒部３１は、前方端部４１が閉じられ、後方端部が開口４５である円筒形状を有する。上述のように、第１円筒部３１の前方端部４１に、締結穴４３が形成された突起４２が形成される。図５の例では、締結穴４３は貫通孔であるが、締結穴４３は貫通孔でなくてもよい。第１円筒部３１の前方端部４１には、スプール軸２４が挿通される中央孔４４が形成される。
【００２７】
図６は、実施の形態に係る第２円筒部の断面図である。図６は、図５と同様に、ＸＺ平面における断面図である。第２円筒部３２は、後方端部が開口５４である円筒形状を有する。上述のように、第２円筒部３２の前方端部５１に、挿入孔５３が形成された係止部５２が形成される。図６の例では、第２円筒部３２の前方端部５１で第２円筒部３２に接し、第２円筒部３２の外周面より径方向の外側に延びる環状のリブ３５が設けられる。本実施の形態の例では、第２円筒部３２およびリブ３５は一体成形されているが、第２円筒部３２およびリブ３５は別体でもよい。第２円筒部３２およびリブ３５が別体である場合、リブ３５は、図示しない締結部材によって第２円筒部３２の中心軸方向、すなわちＸ軸方向に第２円筒部３２に取り付けられる。
【００２８】
図７は、実施の形態に係るロータの断面図である。図７は、図５および図６と同様に、ＸＺ平面における断面図である。本実施の形態では、係止部５２に形成される挿入孔５３に第１円筒部３１の突起４２が挿入されることで、第２円筒部３２が第１円筒部３１に係止部５２で係止する。締結部材３６が挿入孔５３および締結穴４３に挿入され、締結されることで、第２円筒部３２が第１円筒部３１にＸ軸方向に取り付けられる。なお第２円筒部３２を第１円筒部３１に取り付ける方法は、上述の例に限られない。
【００２９】
第２円筒部３２の側面の内径は、第１円筒部３１の側面の外径より大きい。そのため、第２円筒部３２が第１円筒部３１に取り付けられた状態で、第１円筒部３１の外周面と第２円筒部３２の内周面とは、径方向に間隔をあけて対向する。一対のアーム部３３，３４は、それぞれが第１円筒部３１の外周面の後方端部から径方向の外側へ延び、さらに第１円筒部３１の外周面および第２円筒部３２の外周面から径方向の外側に離隔した位置を通って前方に延びる。一対のアーム部３３，３４は、第１円筒部３１および第２円筒部３２を径方向に挟んで対向する。これにより、第２円筒部３２の少なくとも一部は、第１円筒部３１と一対のアーム部３３，３４の少なくとも一方との間に位置する。
【００３０】
ベールアーム１７，１８に必要な強度を持たすために、ロータ１１にも強度が求められる。第１円筒部３１および第２円筒部３２を有さない従来のロータでは、ロータの円筒部全体を、所望の強度を有する部材で形成する必要がある。一方、実施の形態に係るスピニングリール１が有するロータ１１の円筒部においては、第１円筒部３１にのみ強度を持たせればよく、第２円筒部３２には、強度を持たせる必要はない。そのため、第１円筒部３１を所望の強度を有する部材で形成し、第２円筒部３２を、第１円筒部３１と比べて強度を持たない部材、すなわち、重量が軽い部材で形成することができる。
【００３１】
釣糸の巻回される容量、スプール１２のフランジ径との関係等により、スプール１２の胴部の小径化には限度がある。従来のロータでは、ロータの円筒部の内径とスプールとの外径との差が大きくなると糸落ち現象が発生してしまうため、ロータの小径化に限度がある。一方、ロータ１１は、第２円筒部３２を有するため、糸落ち現象を抑制しながら、第１円筒部３１を従来のロータの円筒部より小径化することが可能である。そのため、第１円筒部３１の重量は従来のロータの円筒部の重量よりも軽い。上述のように、第２円筒部３２を、第１円筒部３１より重量が軽い部材で形成することができるため、ロータ１１の重量は、従来のロータの重量よりも軽い。すなわち、本実施の形態に係るロータ１１によれば、第１円筒部３１および第２円筒部３２を設けることで、糸落ちを抑制しながら、ロータ１１を軽量化することが可能である。
【００３２】
図８は、実施の形態に係る第１円筒部およびアーム部の変形例の正面図である。第１円筒部３１に、第１円筒部３１を径方向に貫く、少なくとも１つの貫通孔４６が形成されてもよい。貫通孔４６を形成することで、第１円筒部３１を軽量化することが可能であり、結果としてロータ１１を軽量化することが可能である。
【００３３】
図９は、実施の形態に係る第２円筒部の変形例の正面図である。第２円筒部３２に、第２円筒部３２を径方向に貫く、少なくとも１つの貫通孔５５が形成されてもよい。貫通孔５５を形成することで、第２円筒部３２を軽量化することが可能であり、結果としてロータ１１を軽量化することが可能である。
【００３４】
以上説明したとおり、本実施の形態に係るロータ１１によれば、第１円筒部３１と、内周面が第１円筒部３１の外周面と間隔を空けて対向する位置で第１円筒部３１に取り付けられる第２円筒部３２とを備えることで、糸落ちを抑制しながら、ロータ１１を軽量化することが可能である。
【００３５】
本発明の実施の形態は上述の実施の形態に限られない。突起４２および突起４２が挿入される挿入孔５３が形成される係止部５２の形状および個数は任意である。貫通孔４６，５５の形状および個数は任意である。第１円筒部３１および第２円筒部３２の側面部分は、例えば格子状の形状でもよい。
【符号の説明】
【００３６】
１  スピニングリール
１０  リール本体
１１  ロータ
１２  スプール
１３  ハンドル
１４  釣糸案内機構
１５  ラインローラ
１６  ベール
１７，１８  ベールアーム
１９  ハンドル軸
２０  ピニオンギア
２１  軸
２２，２３  軸受
２４  スプール軸
２５  ドラグ機構
２６  オシレーティング機構
２７  駆動ギア
２８  歯車
３１  第１円筒部
３２  第２円筒部
３３，３４  アーム部
３５  リブ
３６  締結部材
４１，５１  前方端部
４２  突起
４３  締結穴
４４  中央孔
４５  開口
４６，５５  貫通孔
５２  係止部
５３  挿入孔
５４  開口
【図１】
2019058148.tif 000003
【図２】
2019058148.tif 000004
【図３】
2019058148.tif 000005
【図４】
2019058148.tif 000006
【図５】
2019058148.tif 000007
【図６】
2019058148.tif 000008
【図７】
2019058148.tif 000009
【図８】
2019058148.tif 000010
【図９】
2019058148.tif 000011